(57)【要約】【課題】多くの手間や時間をかけなくてもスピーカから発音できるように容易にセットでき、操作性も良好な小型音響再生装置を提供する。【解決手段】音響再生機本体１をスピーカ装置に着脱自在に構成し、音響再生機本体１に本体側音響信号出力端子を設け、前記スピーカ装置に、音を発生する左右のスピーカユニット２３、２４と、これらの左右のスピーカユニット２３、２４が移動可能な状態で連結する連結部２０と、音響信号増幅回路と、本体側音響信号出力端子に直接接続可能な音響信号入力端子とを設け、左右のスピーカユニット２３、２４は連結部２０により、互いに離れてこれら左右のスピーカユニット２３、２４の間に音響再生機本体２を装着可能な装着用姿勢と、各スピーカユニット２３、２４が連結部２０の背面側に回動されてこれらの端面同士が密着する回動折畳接合姿勢とに回動自在に支持されている。【選択図】    図１
2004172778.tif 000002
【特許請求の範囲】
【請求項１】
小型の音響再生機本体と、この音響再生機本体を着脱自在に構成したスピーカ装置とを備え、
前記音響再生機本体に、音響信号を出力する本体側音響信号出力端子を設け、
前記スピーカ装置に、音を発生する左右のスピーカユニットと、これらの左右のスピーカユニットがそれぞれ回動可能な状態で連結する連結部と、音響再生機本体側より入力した音響信号を増幅する増幅回路と、音響再生機本体の装着時に音響再生機本体の本体側音響信号出力端子に直接接続可能な音響信号入力端子とを設け、
左右のスピーカユニットは連結部により、互いに離れてこれら左右のスピーカユニットの間に音響再生機本体を装着可能な装着用姿勢と、各スピーカユニットが前記連結部の背面側に回動されてこれらのスピーカユニットの端面同士が密着または近接し、かつ、スピーカユニットの各背面と連結部の背面とが密着または近接する回動折畳接合姿勢とにわたって、回動自在に支持されていることを特徴とする小型音響再生装置。
【請求項２】
連結部に、左右何れか一方のスピーカユニットに設けた増幅回路から出力される音響出力信号を他方のスピーカユニットに出力するスピーカ接続コードが通され、このスピーカ接続コードが前記他方のスピーカユニットに接続されていることを特徴とする請求項１記載の小型音響再生装置。
【請求項３】
音響再生機本体が充電可能に構成され、左右のスピーカユニットにおける、一方のスピーカユニットに増幅回路が配設され、他方のスピーカユニットに、音響再生機本体に収納した充電電池を充電する充電回路が配設されていることを特徴とする請求項１または２に記載の小型音響再生装置。
【請求項４】
連結部の両端部と左右のスピーカユニットとが、それぞれヒンジ部を介して回動可能に連結されていることを特徴とする請求項１〜３の何れかに記載の小型音響再生装置。
【請求項５】
一方のスピーカユニットを、そのヒンジ部が上方になるように立設させ、他方のスピーカユニット、音響再生機本体および連結部が傾斜した姿勢で、前記他方のスピーカユニットに電源供給コードを接続して充電可能に構成したことを特徴とする請求項４記載の小型音響再生装置。
【請求項６】
音響再生機本体に、音響再生機本体に設けられた電源からの電力を出力する電源供給用出力端子を設け、
スピーカ装置に、前記音響再生機本体の電源供給用出力端子に直接接続可能な電源供給用入力端子を設けて、
スピーカ装置への電源を音響再生機本体から供給可能に構成したことを特徴とする請求項１〜５の何れかに記載の小型音響再生装置。
【請求項７】
音響再生機本体に、音響再生機本体の遠隔操作を行うための操作信号を入力する操作信号入力端子を設け、
スピーカ装置に、音響再生機本体の操作信号入力端子に直接接続可能な操作信号出力端子と、音響再生機本体を操作するための操作部とを設けたことを特徴とする請求項１〜６の何れかに記載の小型音響再生装置。
【請求項８】
音響再生機本体に、音響再生機本体の遠隔操作を行うための制御信号を入出力する制御端子を設け、
スピーカ装置に、前記音響再生機本体の制御端子に直接接続可能な制御信号接続端子と、この制御信号接続端子に接続された外部入出力端子とを設け、
前記スピーカ装置の外部入出力端子に、操作部および表示部を有するリモートコントロール部の接続端子を装着自在としたことを特徴とする請求項１〜７の何れかに記載の小型音響再生装置。
【請求項９】
左右のスピーカユニット同士を回転折畳接合姿勢とした場合にこのスピーカ装置が音響再生機本体とほぼ同じ大きさになるように構成したことを特徴とする請求項１〜８の何れかに記載の小型音響再生装置。
【発明の詳細な説明】
【０００１】
【発明の属する技術分野】
本発明は、携帯型音響装置などの音響再生機本体に、スピーカ装置を接続して音楽などを聴くことができる小型音響再生装置に関するものである。
【０００２】
【従来の技術】
音楽などの音情報を記録したカセットテープやＭＤ（ミニディスク）などの録音媒体を装着自在に構成しながら、スピーカが設けられておらず、あるいは小型のスピーカを設けたものであるため、通常はイヤホンやヘッドホンを接続して、このイヤホンやヘッドホンから前記録音媒体の音楽などを再生して聞くことができる携帯型音響再生装置は知られている（例えば、特許文献１、２参照）。
【０００３】
この種の携帯型音響再生装置にスピーカを接続して、スピーカから音楽などを聴く手法としては、図１３に示すように、以下のような構成のスピーカ装置６０を携帯型音響再生装置９０に接続することが一般に行われている。
【０００４】
スピーカ装置６０は、左スピーカ６１が内蔵されている左スピーカユニット６２と、右スピーカ６３が内蔵されている右スピーカユニット６４と、家庭用ＡＣ電源８０などに接続されるＡＣアダプタ６５などを備えている。また、一方のスピーカユニット、例えば左スピーカユニット６２には、入力した音響信号を増幅する増幅回路（図示せず）と電池収納部とが内蔵されているとともに、音響信号入力用の接続コード６６と、右スピーカボックス部６４へのスピーカ接続用の接続コード６７とが接続され、さらに、ＡＣアダプタ６５の電源供給コード６５ｂの先端に設けられた電源供給端子６５ａが接続される電源入力端子部６８と、電源スイッチ６９とが設けられている。
【０００５】
なお、図１３における９２は携帯型音響再生装置９０に装着されるカセットテープやＭＤなどの情報記録媒体、８０はＡＣ電源である。
このスピーカ装置６０を使用する際には、左右のスピーカユニット６２、６４を適切な位置に配置した状態で、ＡＣアダプタ６５からの電源供給端子６５ａをスピーカ装置６０の電源入力端子部６８に接続し（または、スピーカユニット６２の電池収納部に電池を入れ）、スピーカ接続用の接続コード６７の先端に設けられたスピーカ接続用出力端子６７ａを右スピーカユニット６４のスピーカ接続用入力端子７０に接続し、さらに、音響信号入力用の接続コード６６の先端に設けられた音響信号入力用端子６６ａを、携帯型音響再生装置９０に設けられた音響信号出力用端子９１に差し込み、スピーカ装置６０の電源スイッチ６９をＯＮ状態にし、そして、携帯型音響再生装置９０を操作して再生状態とすることで使用できる。
【０００６】
また、同様に、アンプ部を有する音響装置本体と左右のスピーカボックスとを分割可能とした別途構成の音響装置として、アンプ部を有する音響装置本体の筐体部両側面と左右のスピーカボックスの一側面とのそれぞれに、互いに噛みあう凹凸部を設けて係合可能に構成したものも開示されている（例えば、特許文献３参照）が、この種のものは、物理的な噛み合い支持構造を有するだけであり、音響装置本体の電気接続に関する構成については述べられていない。
【０００７】
【特許文献１】
特開２０００−９０５３５号公報
【０００８】
【特許文献２】
特開２００２−１１７６０７号公報
【０００９】
【特許文献３】
実公平１−３２３８４号公報
【００１０】
【発明が解決しようとする課題】
しかしながら、図１３に示すような従来構成の携帯型音響再生装置９０とスピーカ装置６０とを組み合わせて、スピーカ６１、６３から音楽などを聴こうとすると、左右のスピーカユニット６２、６４を配置した状態で、音響信号入力用の接続コード６６やスピーカ接続用の接続コード６７を接続しなければならず、さらに、ＡＣアダプタ６５を使用する際には、ＡＣアダプタ６５をＡＣ電源８０に接続した状態でＡＣアダプタ６５の電源供給コード６５ｂを左スピーカユニット６２に接続しなければならず（ＡＣ電源８０の代わりに電池を使用する際には、スピーカユニット６２の電池収納部に電池を入れなければならず）、多くの手間や時間がかかってしまうという課題があった。
【００１１】
また、左右のスピーカユニット６２、６４を配置する際などに、音響信号入力用の接続コード６６とスピーカ接続用の接続コード６７とが互いに絡んでしまう場合があり、さらに、ＡＣアダプタ６５を使用する際には電源供給コード６５ｂも絡んでしまうこともある。
【００１２】
また、携帯型音響再生装置９０とは別に、スピーカ装置６０への電源を供給する電源（ＡＣ電源や電池など）が必要である課題がある。
さらに、スピーカ装置６０の電源スイッチ６９をＯＮ状態にした後に、携帯型音響再生装置９０を操作しなければならず、２箇所のスイッチ操作を行わなければならないため、手間がかかるという問題もある。
【００１３】
本発明は上記課題や問題を解決するもので、多くの手間や時間をかけなくてもスピーカから発音できるように容易にセットでき、また、音響信号入力用の接続コードとスピーカ接続用の接続コードなどが互いに絡んだりすることがなく、さらには、スピーカ装置用の電源を単独に必要とすることがなく、操作性も良好な小型音響再生装置を提供することを目的とするものである。
【００１４】
【課題を解決するための手段】
上記課題や問題を解決するために本発明の小型音響再生装置は、小型の音響再生機本体と、この音響再生機本体を着脱自在に構成したスピーカ装置とを備え、前記音響再生機本体に、音響信号を出力する本体側音響信号出力端子を設け、前記スピーカ装置に、音を発生する左右のスピーカユニットと、これらの左右のスピーカユニットがそれぞれ回動可能な状態で連結する連結部と、音響再生機本体側より入力した音響信号を増幅する増幅回路と、音響再生機本体の装着時に音響再生機本体の本体側音響信号出力端子に直接接続可能な音響信号入力端子とを設け、左右のスピーカユニットは連結部により、互いに離れてこれら左右のスピーカユニットの間に音響再生機本体を装着可能な装着用姿勢と、各スピーカユニットが前記連結部の背面側に回動されてこれらのスピーカユニットの端面同士が密着または近接し、かつ、スピーカユニットの各背面と連結部の背面とが密着または近接する回動折畳接合姿勢とにわたって、回動自在に支持されていることを特徴とする。
【００１５】
この構成によれば、多くの手間や時間をかけなくてもスピーカから発音できるように容易にセットできる。
【００１６】
【発明の実施の形態】
本発明の請求項１記載の小型音響再生装置は、小型の音響再生機本体と、この音響再生機本体を着脱自在に構成したスピーカ装置とを備え、前記音響再生機本体に、音響信号を出力する本体側音響信号出力端子を設け、前記スピーカ装置に、音を発生する左右のスピーカユニットと、これらの左右のスピーカユニットがそれぞれ回動可能な状態で連結する連結部と、音響再生機本体側より入力した音響信号を増幅する増幅回路と、音響再生機本体の装着時に音響再生機本体の本体側音響信号出力端子に直接接続可能な音響信号入力端子とを設け、左右のスピーカユニットは連結部により、互いに離れてこれら左右のスピーカユニットの間に音響再生機本体を装着可能な装着用姿勢と、各スピーカユニットが前記連結部の背面側に回動されてこれらのスピーカユニットの端面同士が密着または近接し、かつ、スピーカユニットの各背面と連結部の背面とが密着または近接する回動折畳接合姿勢とにわたって、回動自在に支持されていることを特徴とする。
【００１７】
この構成によれば、音響再生機本体を充電する際に、片方のスピーカユニットだけを立設させるとともに連結部を傾斜させて載置した姿勢で、充電スタンドとして利用でき、傾斜させた連結部上に音響再生機本体を容易に装着することができる。また、音響再生機本体をスピーカ装置に装着した時に、音響再生機本体の本体側音響信号出力端子にスピーカ装置の音響信号入力端子を直接接続することができて、音響信号入力用の接続コードを接続しなくても済むので、その分だけセットする際の手間や時間を省くことができる。また、音響信号入力用の接続コード自体がないので、当然ながら、音響信号入力用の接続コードが他のコードに絡むこともない。さらに、スピーカ装置に音響再生機本体を装着することで、左右のスピーカから音楽などを良好に聞くことができ、また、持ち運ぶ際などには、スピーカ装置から音響再生機本体を分離させて、スピーカユニット同士が密着または近接する回動折畳接合姿勢とすることでスピーカ装置をコンパクト化することができて持ち運び易くなる。
【００１８】
請求項２記載の発明は、請求項１記載の小型音響再生装置において、連結部に、左右何れか一方のスピーカユニットに設けた増幅回路から出力される音響出力信号を他方のスピーカユニットに出力するスピーカ接続コードが通され、このスピーカ接続コードが前記他方のスピーカユニットに接続されていることを特徴とする。
【００１９】
この構成によれば、連結部に、スピーカユニットに出力するスピーカ接続コードが通されて、このスピーカ接続コードが外部に露出しないようにできるので、スピーカ接続コードが他のコードに絡むことがない。また、スピーカ接続コードがスピーカユニットに常に接続されているため、従来のように、スピーカ接続コードをスピーカユニットにわざわざ接続しなくても済む。
【００２０】
請求項３記載の発明は、請求項１または２に記載の小型音響再生装置において、音響再生機本体が充電可能に構成され、左右のスピーカユニットにおける、一方のスピーカユニットに増幅回路が配設され、他方のスピーカユニットに、音響再生機本体に収納した充電電池を充電する充電回路が配設されていることを特徴とする。
【００２１】
この構成によれば、スピーカ装置を、音響再生機本体に収納した充電電池を充電する充電装置としても兼用することができる。
請求項４記載の発明は、請求項１〜３の何れかに記載の小型音響再生装置において、連結部の両端部と左右のスピーカユニットとが、それぞれヒンジ部を介して回動可能に連結されていることを特徴とする。
【００２２】
この構成によれば、連結部の両端部と左右のスピーカユニットとをヒンジ部により良好に回動可能に連結させることができる。
請求項５記載の発明は、請求項４に記載の小型音響再生装置において、一方のスピーカユニットを、そのヒンジ部が上方になるように立設させ、他方のスピーカユニット、音響再生機本体および連結部が傾斜した姿勢で、前記他方のスピーカユニットに電源供給コードを接続して充電可能に構成したことを特徴とする。
【００２３】
この構成によれば、傾斜姿勢の連結部上に音響再生機本体を載せた状態で充電することができる。
請求項６記載の発明は、請求項１〜５の何れかに記載の小型音響再生装置において、音響再生機本体に、音響再生機本体に設けられた電源からの電力を出力する電源供給用出力端子を設け、スピーカ装置に、前記音響再生機本体の電源供給用出力端子に直接接続可能な電源供給用入力端子を設けて、スピーカ装置への電源を音響再生機本体から供給可能に構成したことを特徴とする。
【００２４】
この構成によれば、スピーカ装置に音響再生機本体を装着して、音響再生機本体の電源供給用出力端子にスピーカ装置の電源供給用入力端子を直接接続することで、電源供給コードを接続しなくても済むので、その分だけセットする際の手間や時間を省くことができる。また、電源供給コード自体がないので、当然ながら、電源供給コードが他のコードに絡むこともない。さらに、音響再生機本体側の電源からスピーカ装置にも電力が供給されるため、スピーカ装置用の電源を単独に設けなくても済む。
【００２５】
請求項７記載の発明は、請求項１〜６の何れかに記載の小型音響再生装置において、音響再生機本体に、音響再生機本体の遠隔操作を行うための操作信号を入力する操作信号入力端子を設け、スピーカ装置に、音響再生機本体の操作信号入力端子に直接接続可能な操作信号出力端子と、音響再生機本体を操作するための操作部とを設けたことを特徴とする。
【００２６】
この構成によれば、スピーカ装置に音響再生機本体を装着して、音響再生機本体の操作信号入力端子にスピーカ装置の操作信号出力端子を直接接続することで、スピーカ装置の操作部により音響再生機本体を操作することができる。
【００２７】
請求項８記載の発明は、請求項１〜７の何れかに記載の小型音響再生装置において、音響再生機本体に、音響再生機本体の遠隔操作を行うための制御信号を入出力する制御端子を設け、スピーカ装置に、前記音響再生機本体の制御端子に直接接続可能な制御信号接続端子と、この制御信号接続端子に接続された外部入出力端子とを設け、前記スピーカ装置の外部入出力端子に、操作部および表示部を有するリモートコントロール部の接続端子を装着自在としたことを特徴とする。
【００２８】
この構成によれば、スピーカ装置に音響再生機本体を装着して、音響再生機本体の制御端子にスピーカ装置の制御信号接続端子を直接接続し、また、スピーカ装置の外部入出力端子にリモートコントロール部の接続端子を装着することで、リモートコントロール部の表示部を見ながら、リモートコントロール部の操作部などにより音響再生機本体を操作することができる。
【００２９】
請求項９記載の発明は、請求項１〜８の何れかに記載の小型音響再生装置において、左右のスピーカユニット同士を回転折畳接合姿勢とした場合にこのスピーカ装置が音響再生機本体とほぼ同じ大きさになるように構成したことを特徴とする。
【００３０】
この構成によれば、スピーカ装置と音響再生機本体とがほぼ同じ大きさであるので、持ち運びがさらに容易となる。
以下、本発明の実施の形態について、図面に基づき説明する。
【００３１】
図１〜図１２に示すように、本発明の実施の形態に係る小型音響再生装置１は、小型の音響再生機本体２と、この音響再生機本体２を着脱自在に構成したスピーカ装置３と、操作部４ａおよび液晶の表示部４ｂを有し、これらの音響再生機本体２やスピーカ装置３を遠隔操作するリモートコントロール部４と、家庭用ＡＣ電源５などに接続され、これらの音響再生機本体２やスピーカ装置３に電力を供給可能なＡＣアダプタなどのＡＣアダプタ６（図９参照）と、ヘッドホン接続コード７に接続されたヘッドホン（図示せず）などを備えている。
【００３２】
図５に示すように、音響再生機本体２は、スピーカ装置３から分離した単体の状態で、リモートコントロール部４とヘッドホン（ヘッドホン接続コード７のみ図示する）などを接続して使用可能とされている。この音響再生機本体２は、録音媒体としてのＭＤ（ミニディスク）が前面部２ａ（図５においては、裏面側を正面に図示しているため、前面部２ａを上面側に図示している）より装着自在とされ、スピーカは設けられていない。音響再生機本体２の内部には充電電池１１が内蔵されているが、別途に側方に電池を収納した電池収納部１２を取り付け可能とされ、この電池収納部１２を取り付けることで、電池収納部１２内の電池によっても駆動可能とされている。
【００３３】
音響再生機本体２の左側面２ｂ（図５においては右面側に図示している）には、電池収納部１２に設けられた電源供給端子１２ａ、１２ｂに接続自在な電源入出力端子１３ａ、１３ｂが設けられており、電池収納部１２に回転自在に取り付けられている固定用雄ねじ部１４を、音響再生機本体２の左側面２ｂに設けられている固定用雌ねじ部１５に位置させた状態で、電池収納部１２の固定用つまみ１９を手で回すことで、固定用雄ねじ部１４を固定用雌ねじ部１５にねじ込んで固定できるようになっている。また、音響再生機本体２の左側面２ｂには、充電用陰極側入力端子１６も設けられているが、電池収納部１２には、この充電用陰極側入力端子１６に係合する回り止め凸部１２ｃが設けられているだけで、電気的には、充電用陰極側入力端子１６とは接続されていない。なお、音響再生機本体２の陽極側の電源入出力端子１３ａは充電用入力用の陽極側端子としても兼用されるようになっている。さらに、電源入出力端子１３ａ、１３ｂは、充電電池１１からの電源出力をスピーカ装置３へ供給する電源供給用出力端子としても機能する。
【００３４】
音響再生機本体２の右側面２ｃ（図５においては左面側に図示している）には、音響再生機本体２の遠隔操作を行うための操作信号と表示内容信号とからなる制御信号と、音響再生機本体２で再生した音響信号とを入出力するジャック型の制御・音響信号入出力端子１７が設けられており、操作部４ａおよび表示部４ｂを有するリモートコントロール部４のプラグ型の接続端子４ｃなどを接続可能とされている。したがって、制御・音響信号入出力端子１７は、音響再生機本体２の遠隔操作を行うための操作信号を含む制御信号を入出力する制御信号端子（操作信号入力端子）としての機能や、音響信号を出力する本体側音響信号出力端子としての機能を１箇所にまとめて設けられている。なお、４８は音響再生機本体２の蓋部を開口させて録音媒体を着脱可能な姿勢にする開閉用レバーである。また、音響再生機本体２の背面２ｄには、再生動作などを行うための操作部１８が設けられている。
【００３５】
リモートコントロール部４の先端部には、ヘッドホンの入力端子７ａに接続可能な音響信号出力端子４ｄが設けられている。なお、ヘッドホンは、リモートコントロール部４に接続することができるが、ヘッドホンの入力端子７ａを音響再生機本体２の制御・音響信号入出力端子１７に直接差し込んで聞くことも可能とされている。
【００３６】
音響再生機本体２を単体で使用する際には、充電電池１１を収納したり、電池収納部１２を取り付けたりして、電源が供給された状態とし、ヘッドホンを取り付け、またはリモートコントロール部４を介してヘッドホンを取り付けた状態で、音響再生機本体２の操作部１８やリモートコントロール部４の操作部４ａを操作することで、音響再生機本体２により再生した音楽などをヘッドホンから聴くことができる。
【００３７】
スピーカ装置３は、音を発生するスピーカ２１、２２がそれぞれ設けられているボックス形状の左右のスピーカユニット２３、２４と、これらの左右のスピーカユニット２３、２４をその両端部に設けられたヒンジ部５１、５２を介してそれぞれ回動可能な状態で連結する連結部２０と、図１２に示すように、音響再生機本体２側より入力した音響信号を増幅する増幅回路２５と、音響再生機本体２に収納した充電電池１１を充電する充電回路２６などを備えており、増幅回路２５は右スピーカユニット２４に内蔵され、充電回路２６は左スピーカユニット２３に内蔵されている。ここで、充電回路２６は、音響再生機本体２および右スピーカユニット２４への電源回路も兼ねている。
【００３８】
図１、図５、図６、図９などに示すように、左スピーカユニット２３の上面には、ＡＣアダプタ６の電源供給コード６ｂの先端に設けられた電源供給端子６ａが接続される電源入力端子部２９が設けられている。また、左スピーカユニット２３の左側面（外部側側面）には、電池収納部１２に設けられた電源供給端子１２ａ、１２ｂに接続自在な電池電源入力端子３１ａ，３１ｂと、電池収納部１２に回転自在に取り付けられている固定用雄ねじ部１４がねじ込み可能な固定用雌ねじ部３２と、電池収納部１２に設けられた回り止め凸部１２ｃが挿入される回り止め凹部３２ｂとが設けられている。そして、家庭用ＡＣ電源５に接続したＡＣアダプタ６の電源供給端子６ａを左スピーカユニット２３の電源入力端子部２９に接続することで、ＡＣアダプタ６で変換されたＤＣ電源がスピーカ装置３に供給されるようになっている。また、左スピーカユニット２３の左側に電池収納部１２を配置し、電池収納部１２の固定用つまみ１４ａを手で回すことで、電池収納部１２の固定用雄ねじ部１４を左スピーカユニット２３の固定用雌ねじ部３２にねじ込んで固定できるようになっている。
【００３９】
図５、図７、図８に示すように、左スピーカユニット２３の右側面（内部側側面）には、音響再生機本体２の装着時に音響再生機本体２の固定用雌ねじ部１５にねじ込むことが可能な固定用雄ねじ部３３ａが先端に設けられた固定用つまみ３３と、装着時に音響再生機本体２の電源入出力端子１３ａ、１３ｂに直接接続される電源入出力端子２８ａ、２８ｂと、装着時に音響再生機本体２の充電用陰極側入力端子１６に直接接続される充電用陰極側出力端子３４とが設けられている。そして、左右のスピーカユニット２３、２４間に音響再生機本体２を装着して、固定用つまみ３３を手で回すことで、固定用雄ねじ部３３ａを固定用雌ねじ部１５にねじ込んで左スピーカユニット２３、ひいてはスピーカ装置３に音響再生機本体２を固定できるようになっている。なお、陽極側の電源入出力端子２８ａは充電用入力用の陽極側端子としても兼用されるようになっている。電源入出力端子２８ａ、２８ｂは、音響再生機本体２の充電電池１１からの電源出力をスピーカ装置３へ供給する。また、図１に示すように、左スピーカユニット２３の前面には充電状態を表示するチャージランプ４７が設けられている。
【００４０】
図３、図５、図６、図８に示すように、右スピーカユニット２４の左側面（内部側側面）には、音響再生機本体２の装着時に音響再生機本体２の制御・音響信号入出力端子１７に直接接続可能な多極プラグ型の制御・音響信号入出力内部端子２７が設けられている。この制御・音響信号入出力内部端子２７は、図３に示すように、スピーカユニット２４内に後退した姿勢から、音響再生機本体２側に突出する突出姿勢にスライド自在とされ、スピーカユニット２４の裏面に露出したスライドつまみ３５を操作することで、この制御・音響信号入出力内部端子２７を音響再生機本体２の制御・音響信号入出力端子１７に挿入可能とされている。図１、図２に示すように、右スピーカユニット２４の上面には再生、停止、スキップ動作や音量制御などを行うための操作部３６が設けられている。
【００４１】
図１、図４、図５、図７に示すように、右スピーカユニット２４の右側面（外部側側面）には、リモートコントロール部４の接続端子４ｃなどが接続可能な多極ジャック型の制御・音響信号外部入出力端子３０と、スピーカ装置３のスピーカ２１、２２とヘッドホンとの何れかまたは両方から音を発生させるかどうかを設定する出力切換スイッチ３７と、操作部として、右スピーカユニット２４の操作部３６と、リモートコントロール部４の操作部４ａとの何れを使用するかの操作部切換スイッチ３８とが設けられている。
【００４２】
図２〜図７に示すように、連結部２０の両端と左スピーカユニット２３の右端背面部と、右スピーカユニット２４の左端背面部とにはそれぞれヒンジアーム５３〜５６が一体形成されており、連結部２０の左端のヒンジアーム５３と左スピーカユニット２３の右端背面部のヒンジアーム５５とがヒンジピン５７を介して回動自在に連結されて、左側のヒンジ部５１を構成し、連結部２０の右端のヒンジアーム５４と右スピーカユニット２４の左端背面部のヒンジアーム５６とが縦方向に貫通するヒンジピン５８を介して回動自在に連結されて、右側のヒンジ部５２を構成している。
【００４３】
そして、左右のスピーカユニット２３、２４は連結部２０により、互いに離れてこれら左右のスピーカユニット２３、２４の間に音響再生機本体２を装着できる装着用姿勢（図１〜図８参照）と、図１１に示すように、これらのスピーカユニット２３、２４が連結部２０の背面側に回動されてこれらのスピーカユニット２３、２４の端面同士が密着近接し、かつ、スピーカユニット２３、２４の各背面と連結部２０の背面とが密着する回動折畳接合姿勢とにわたって、回動自在に支持されている。また、スピーカユニット２３、２４を回動折畳接合姿勢にした場合には、このスピーカ装置３が音響再生機本体２とほぼ同じ大きさになるように構成されている。
【００４４】
さらに、充電時には、図１０に示すように、電源供給端子６ａを左スピーカユニット２３に接続した状態で、右スピーカユニット２４を、そのヒンジ部５２が上方になるように立設させ、また左スピーカユニット２３および連結部２０を傾斜姿勢とするとともに、この連結部２０に沿わせるようにして音響再生機本体２を載せて左スピーカユニット２３に接続することで、音響再生機本体２に内蔵された充電電池１１を充電することができるようになっている。
【００４５】
また、図６、図７、図１１に示すように、この連結部２０を通して、左右のスピーカユニット２３、２４間に跨って接続配線部４５が配設されている。この接続配線部４５には、右スピーカユニット２４に設けた増幅回路２５から出力される音響出力信号を左スピーカユニット２３に出力するスピーカ接続コード４５ａと、左スピーカユニット２３に設けた充電回路２６から出力される電源供給信号を右スピーカユニット２４の増幅回路２５に出力する電源供給線４５ｂとが通されており、スピーカ接続コードの先端は左のスピーカ２１に接続されている。ここで、図１１においては、接続配線部４５以外の電気的配線、特に音響再生機本体２との接続等については図示を省略する。
【００４６】
また、図４に示すように、連結部２０の背面には、この小型音響再生装置１を立設させることができるように折畳式のスタンド４６が上端で枢支されている。このような構成において、スピーカ装置３を使用する場合は、連結部２０に音響再生機本体２を載せた状態で、左右のスピーカユニット２３、２４が装着用姿勢となるように連結部２０に対して左右のスピーカユニット２３、２４を回動させ、左スピーカユニット２３の固定用つまみ３３を回して、固定用雄ねじ部３３ａを音響再生機本体２の固定用雌ねじ部３２にねじ込んで、音響再生機本体２をスピーカ装置３に固定する。
【００４７】
これにより、左スピーカユニット２３の電源入出力端子２８ａ、２８ｂと充電用陰極側出力端子３４とが、音響再生機本体２の電源入出力端子１３ａ、１３ｂと充電用陰極側入力端子１６とに接触し、音響再生機本体２に充電電池１１が装着されている状態では、この充電電池１１からの電力が音響再生機本体２だけでなく、左スピーカユニット２３に供給され、さらに、接続配線部４５の電源供給線を介して右スピーカユニット２４にも電力が供給される。
【００４８】
また、右スピーカユニット２４のスライドつまみ３５を操作して制御・音響信号入出力内部端子２７を音響再生機本体２の制御・音響信号入出力端子１７に挿入させる。これにより、音響再生機本体２の音響信号が右スピーカユニット２４に入力されるとともに、右スピーカユニット２４の増幅回路２５で増幅された信号が接続配線部４５のスピーカ接続コードを介して左のスピーカ２１にも出力可能とされる。
【００４９】
この状態で、右スピーカユニット２４の操作部３６を操作して再生を指示することで、音響再生機本体２で再生された音楽などが、左右のスピーカユニット２３、２４から発せられる。
【００５０】
また、この場合に、リモートコントロール部４を取り付けることにより、リモートコントロール部４の表示部４ｂを見ながら、何番目の曲か（トラック数）の確認や、モードの確認、曲中の演奏時間を視認することも可能であり、さらに、リモートコントロール部４にヘッドホンを接続して、切換スイッチ３７を操作することで、スピーカ装置３のスピーカ２１、２２とヘッドホンとの両方から音楽などを聴くことも可能である。また、切換スイッチ３８を操作して、リモートコントロール部４の操作部４ａにて操作することも可能となる。
【００５１】
また、電池が収納された電池収納部１２を左スピーカユニット２３に、固定用つまみ１４ａを操作して固定することで、電池収納部１２の電池からの電力を音響再生機本体２およびスピーカ装置３に供給することも可能であり、さらには、家庭用ＡＣ電源５に接続したＡＣアダプタ６の電源供給コード６ｂを左スピーカユニット２３に接続することで、家庭用ＡＣ電源５から変換した電力により、音響再生機本体２およびスピーカ装置３を駆動することも可能である。
【００５２】
上記構成によれば、音響再生機本体２をスピーカ装置３に装着した時に、音響再生機本体２の制御・音響信号入出力用端子１７にスピーカ装置３の制御・音響信号端子２７を直接接続することができて、音響信号入力用の接続コードを接続しなくても済む。また、連結部２０に通された接続配線部４５のスピーカ接続コード４５ａが右スピーカユニット２４側から左スピーカユニット２３側に常に接続されているため、従来のように、スピーカ接続コードを一方のスピーカユニット側から他方のスピーカユニット側にわざわざ接続しなくても済む。このように、左右のスピーカユニット２３、２４間に音響再生機本体２を装着するだけで、左右のスピーカユニット２３、２４間や音響再生機本体２との接続を行うことができて、従来のように配線コードを接続しなくても済むため、セットする際の手間や時間を省くことができて能率的に組付けることができる。また、人によって接続しなければならない音響信号入力用やスピーカ接続用の接続コードがないので、このような接続コードが他のコードに絡むこともない。
【００５３】
また、音響再生機本体２の電源入出力端子（電源供給用出力端子）１３にスピーカ装置２の電源入出力端子（電源供給用入力端子）２８を直接接続する構造として、電源供給コードを接続しなくても済むので、これによってもセットする際の手間や時間を省くことができる。また、人によって接続しなければならない電源供給コードがないので、このような電源供給コードが他のコードに絡むこともない。さらに、従来のように音響再生機とスピーカ装置との電源をそれぞれ別個に設けなくても済むため、別個に設けた場合と比較して、製造コストを低減できる。
【００５４】
さらに、スピーカ装置３に充電回路２６が設けられて、スピーカ装置３が、音響再生機本体２に収納した充電電池１１を充電する充電装置としても兼用されるので、スピーカ装置と充電装置とを別個に設けた場合に比べて、配設スペースや収納スペースも最小限で済む。
【００５５】
また、図１などに示すように、スピーカ装置３に音響再生機本体２を装着することで、左右のスピーカユニット２３、２４から音楽などを良好に聞くことができながら、持ち運ぶ際などには、スピーカ装置３から音響再生機本体２を分離させて、図１１に示すように、スピーカユニット２３、２４同士が密着する回動折畳接合姿勢とすることでスピーカ装置３をコンパクト化することができて持ち運び易くなる。この場合に、回動折畳接合姿勢ではスピーカ装置３が音響再生機本体２とほぼ同じ大きさになるように構成されているため、スピーカ装置３がかさばることを最小限に抑えることができて、良好に持ち運ぶことができる。また、この小型音響再生装置１を収納する際でも、コンパクトな状態で小さなスペースに収納することができ、この場合においても、音響信号入力用やスピーカ接続用の接続コードがないので、当然ながら、収納時にこれらの接続コードが他のコードに絡むことがない。
【００５６】
また、スピーカ装置３に音響再生機本体２を装着した状態で、スピーカ装置３の制御・音響信号端子２７を音響再生機本体２の制御・音響信号入出力用端子１７に直接接続することができるので、音響信号入力用の接続コードや制御用の接続コードを接続しなくても済み、これによってもセットする際の手間や時間を省くことができ、また、音響信号入力用の接続コードや制御用の接続コードが他のコードに絡むこともない。また、スピーカ装置３に設けた操作部３６は、ある程度大きなスペースを有するスピーカユニット２４に設けられているため、この操作部３６は操作し易い配置や大きさとすることができ、これによって操作性も向上する。
【００５７】
さらに、スピーカ装置３の制御・音響信号端子（外部入出力端子）２７にリモートコントロール部４の接続端子４ｃを装着することで、リモートコントロール部４の表示部４ｂを見て、何番目の曲か（トラック数）の確認や、モードの確認、曲中の演奏時間を視認しながら、リモートコントロール部４の操作部４ａなどにより音響再生機本体２を操作することができるので、便利である。また、スピーカ装置３に表示部を設けずに、リモートコントロール部４の表示部４ｂを利用しているため、スピーカ装置などに表示部を設けた場合に比べて製造コストを低減させることができる。
【００５８】
また、充電時には、図１０に示すように、傾斜させた連結部２０に沿わせるように音響再生機本体２をセットして左スピーカユニット２３に接続するだけの簡単な操作で、音響再生機本体２に内蔵された充電電池１１を容易に充電することができる。そして特にこの場合に、音響再生機本体２を充電しようとする場合には、連結部２０が上方に向いた姿勢となるので、この連結部２０上に音響再生機本体２を容易に装着することができ、充電スタンドとして使いやすい状態で利用できて、便利である。
【００５９】
なお、上記実施の形態においては、音響再生機本体２にスピーカが全くない場合を述べたが、音響再生機本体に小型のスピーカがついており、さらにスピーカ装置３を接続することで、良質の音響を得ようとする場合にも適用可能である。また、上記実施の形態においては、左右のスピーカユニット２３、２４が回動折畳接合姿勢では密着する場合を述べ、このように構成することで、回動折畳接合姿勢でコンパクトに持ち運んだり収納したりすることができるが、これに限るものではなく、回動折畳接合姿勢で左右のスピーカユニットが近接するように配置してもよい。
【００６０】
また、上記実施の形態においては録音媒体がＭＤである場合を述べたが、これに限るものではなく、録音媒体がカセットテープである場合にも同様に適用できることはもちろんである。
【００６１】
【発明の効果】
以上のように本発明によれば、小型の音響再生機本体をスピーカ装置に着脱自在に構成し、音響再生機本体をスピーカ装置に装着した時に、音響再生機本体の本体側音響信号出力端子にスピーカ装置の音響信号入力端子を直接接続するように構成することで、音響信号入力用の接続コードを接続しなくても済むので、その分だけセットする際の手間や時間を省くことができ、また、音響信号入力用の接続コード自体がないので、当然ながら、音響信号入力用の接続コードが他のコードに絡むこともない。そして特に、音響再生機本体を充電する際に、片方のスピーカユニットだけを立設させるとともに連結部を傾斜させて載置した姿勢で、充電スタンドとして利用でき、傾斜させた連結部上に音響再生機本体を容易に装着することができて、良好な利便性を得られる。
【００６２】
また、左右のスピーカユニットを連結部により、互いに離れてこれら左右のスピーカユニットの間に音響再生機本体を装着可能な装着用姿勢と、各スピーカユニットが前記連結部の背面側に回動されてこれらのスピーカユニットの端面同士が密着または近接し、かつ、スピーカユニットの各背面と連結部の背面とが密着または近接する回動折畳接合姿勢とにわたって、回動自在に支持させることで、スピーカ装置を使用する際には、装着用姿勢のスピーカ装置に音響再生機本体を装着して、左右のスピーカから音楽などを良好に聞くことができ、また、持ち運ぶ際などには、スピーカ装置から音響再生機本体を分離させて、スピーカユニットを回動折畳接合姿勢とすることでスピーカ装置をコンパクト化することができて持ち運び易くなる。
【００６３】
また、連結部に、左右何れか一方のスピーカユニットに設けた増幅回路から出力される音響出力信号を他方のスピーカユニットに出力するスピーカ接続コードを通すことで、スピーカ接続コードが外部に露出しないように配置できて、スピーカ接続コードが他のコードに絡むことがない。また、スピーカ接続コードがスピーカユニットに常に接続されているため、従来のように、スピーカ接続コードをスピーカユニットにわざわざ接続しなくても済み、これによっても、スピーカ装置をセットする際の手間や時間を省くことができる。
【００６４】
また、音響再生機本体に、音響再生機本体に設けられた電源からの電力を出力する電源供給用出力端子を設け、スピーカ装置に、前記音響再生機本体の電源供給用出力端子に直接接続可能な電源供給用入力端子を設けて、スピーカ装置への電源を音響再生機本体から供給可能に構成したことにより、スピーカ装置に音響再生機本体を装着した場合でも、従来のように電源供給コードを接続しなくても済むので、その分だけセットする際の手間や時間を省くことができ、また、電源供給コードが他のコードに絡むこともない。さらに、音響再生機本体側の電源からスピーカ装置にも電力が供給されるため、スピーカ装置用の電源を単独に設けなくても済み、製造コストを低減させることができる。
【００６５】
また、スピーカユニットに充電回路を設けることで、スピーカ装置を、音響再生機本体に収納した充電電池を充電する充電装置としても兼用することができる。さらに、一方のスピーカユニットに増幅回路を配設し、他方のスピーカユニットに充電回路を配設することで、左右のスピーカユニットの重量を概略的に同じにすることができ、スピーカ装置に音響再生機本体を装着した場合でも、安定して配置することができる。つまり、片側のスピーカユニットに増幅回路および充電回路を設けると、スピーカユニット同士の重量に偏りを生じ、スピーカ装置に音響再生機本体を装着して立てて配置したような場合に、不安定となる恐れがあるが、上記構成によれば、このような不具合を生じることがない。
【００６６】
また、連結部の両端部と左右のスピーカユニットとを、それぞれヒンジ部を介して回動可能に連結することで、連結部と左右のスピーカユニットとを良好に回動可能に連結できる。
【００６７】
さらに、一方のスピーカユニットを、そのヒンジ部が上方になるように立設させ、他方のスピーカユニット、音響再生機本体および連結部が傾斜した姿勢で、前記他方のスピーカユニットに電源供給コードを接続して充電可能に構成したことにより、傾斜姿勢の連結部上に音響再生機本体を載せてセットした安定した姿勢で充電することができる。
【００６８】
また、音響再生機本体に、音響再生機本体の遠隔操作を行うための操作信号を入力する操作信号入力端子を設け、スピーカ装置に、音響再生機本体の操作信号入力端子に直接接続可能な操作信号出力端子と、音響再生機本体を操作するための操作部とを設けたことにより、音響再生機本体の操作信号入力端子にスピーカ装置の操作信号出力端子を直接接続することで、スピーカ装置の操作部により音響再生機本体を操作することができ、利便性が向上する。
【００６９】
また、音響再生機本体に、音響再生機本体の遠隔操作を行うための制御信号を入出力する制御端子を設け、スピーカ装置に、前記音響再生機本体の制御端子に直接接続可能な制御信号接続端子と、この制御信号接続端子に接続された外部入出力端子とを設け、前記スピーカ装置の外部入出力端子に、操作部および表示部を有するリモートコントロール部の接続端子を装着自在としたことにより、リモートコントロール部の表示部を見ながら、リモートコントロール部の操作部などにより音響再生機本体を操作することができて、これによっても利便性が向上する。また、スピーカ装置には表示部を設けずに、リモートコントロール部の表示部を利用できるため、スピーカ装置などに表示部を設けた場合に比べて製造コストを低減させることができる。
【００７０】
また、左右のスピーカユニット同士を回動折畳接合姿勢とした場合にこのスピーカ装置が音響再生機本体とほぼ同じ大きさになるように構成することにより、音響再生機本体とスピーカ装置とを良好に重ねて持ち運ぶことができて、持ち運びが便利となるとともに、コンパクトな状態で小さなスペースに収納することができる。
【図面の簡単な説明】
【図１】本発明の実施の形態にかかる小型音響再生装置の斜視図である。
【図２】同小型音響再生装置の平面図である。
【図３】同小型音響再生装置のスピーカ装置の部分切欠平面図である。
【図４】同小型音響再生装置の裏面側より見た斜視図である。
【図５】同小型音響再生装置を音響再生機本体単体で使用する場合の斜視図である。
【図６】同小型音響再生装置のスピーカ装置の斜視図である。
【図７】同小型音響再生装置のスピーカ装置の斜視図である。
【図８】同小型音響再生装置のスピーカ装置の背面図である。
【図９】同小型音響再生装置にＡＣアダプタを接続した状態を示す斜視図である。
【図１０】同小型音響再生装置の充電時の姿勢を示す斜視図である。
【図１１】同小型音響再生装置のスピーカ装置を回動折畳接合姿勢にした場合を示す斜視図である。
【図１２】同小型音響再生装置の左右のスピーカユニットの接続状態を簡略的に示す図である。
【図１３】従来の携帯型音響再生装置をスピーカ装置に接続した状態を簡略的に示す図である。
【符号の説明】
１          小型音響再生装置
２          音響再生機本体
３          スピーカ装置
４          リモートコントロール部
４ａ        操作部
４ｂ        表示部
５          家庭用ＡＣ電源
６          ＡＣアダプタ
１１        充電電池
１２        電池収納部
１３ａ、１３ｂ      電源入出力端子（電源供給用出力端子）
１６        充電用陰極側入力端子
１７        制御・音響信号入出力端子（本体側音響信号出力端子、操作信号入力端子、制御信号端子）
１８        操作部
２０        連結部
２１、２２    スピーカ
２３、２４    スピーカユニット
２５        増幅回路
２６        充電回路
２７        制御・音響信号入出力内部端子（音響信号入力端子、操作信号出力端子、制御信号接続端子）
２９        電源入力端子部
３０        制御・音響信号外部入出力端子（外部入出力端子）
３１ａ，３１ｂ    電池電源入力端子
２８ａ、２８ｂ    電源入出力端子（電源供給用入力端子）
３４        充電用陰極側出力端子
３５        スライドつまみ
３６        操作部
４５        接続配線部
４５ａ      スピーカ接続コード
４５ｂ      電源供給線
４６        スタンド
５１、５２    ヒンジ部
５３〜５６    ヒンジアーム
５７、５８    ヒンジピン
【図１】
2004172778.tif 000003
【図２】
2004172778.tif 000004
【図３】
2004172778.tif 000005
【図４】
2004172778.tif 000006
【図５】
2004172778.tif 000007
【図６】
2004172778.tif 000008
【図７】
2004172778.tif 000009
【図８】
2004172778.tif 000010
【図９】
2004172778.tif 000011
【図１０】
2004172778.tif 000012
【図１１】
2004172778.tif 000013
【図１２】
2004172778.tif 000014
【図１３】
2004172778.tif 000015